(57)【要約】【課題】所望の色再現系の特性が加味された理想的な分光特性に近い特性を得ることができるようにした撮像装置およびその撮像装置における信号処理方法を提供する。【解決手段】係数演算部６３は、基準となる色調整用の被写体を撮像したときに複数の撮像素子４Ｒ，４Ｇ，４Ｂから出力された各色信号に基づいて、撮像系全体の総合的な分光特性を求める。係数演算部６３は、総合的な分光特性と所望とする再現系の理想特性との分光特性のずれを求め、その特性のずれに基づいて、総合的な分光特性が再現系の理想特性に近づくようなマトリクス係数を色特性変換係数として求める。この色特性変換係数を係数記憶部６１に記憶する。信号処理部６２では、撮像素子４Ｒ，４Ｇ，４Ｂから出力された各色信号に対して、係数記憶部６１に記憶された色特性変換係数を乗ずる演算を行って、映像信号Ｖoutとして出力する。【選択図】図１
2010074213.tif 000002
【特許請求の範囲】
【請求項１】
所望とする色再現系の分光特性が加味された再現系理想特性に対して負の値の分光領域を減らすような可逆な変換を施した変換理想特性を光学的に再現するための色分解プリズム、を含む撮像光学系と、
前記色分解プリズムによって色分解された複数の色光に対応して設けられ、入射した各色光に応じた色信号を出力する複数の撮像素子と、
基準となる色調整用の被写体を撮像したときに前記複数の撮像素子から出力された色信号に基づいて、前記撮像光学系と前記複数の撮像素子とを含む撮像系全体の総合的な分光特性を求める第１の演算手段と、
前記総合的な分光特性と前記再現系理想特性または前記変換理想特性との分光特性のずれを求める第２の演算手段と、
前記分光特性のずれを減らし、前記総合的な分光特性が前記再現系理想特性に近づくようなマトリクス係数を色特性変換係数として求める第３の演算手段と、
前記求められた色特性変換係数を示すデータを記憶する係数記憶部と、
前記複数の撮像素子から出力された複数の色信号に対して、前記係数記憶部に記憶された色特性変換係数を乗ずる演算を行う信号処理部と
を備えたことを特徴とする撮像装置。
【請求項２】
前記再現系理想特性は、所望の色再現媒体の３原色の色度座標から換算され、ＸＹＺ表色系の等色関数の一次変換で示された、負の値となる分光領域を有する特性である
ことを特徴とする請求項１に記載の撮像装置。
【請求項３】
動作モードを、色調整モードと通常撮影モードとに切り替える切替制御部をさらに備え、
前記切替制御部によって前記色調整モードに切り替えられた場合に、前記第１の演算手段、前記第２の演算手段、および前記第３の演算手段を用いて前記色特性変換係数を求めて前記係数記憶部に記憶する処理を行い、
前記切替制御部によって前記通常撮影モードに切り替えられた場合に、前記信号処理部が、前記複数の撮像素子から出力された複数の色信号に対して、前記係数記憶部に記憶された色特性変換係数を乗ずる信号処理を行うようになされている
ことを特徴とする請求項１または２に記載の撮像装置。
【請求項４】
前記色分解プリズムは、入射光を青色光、赤色光、および緑色光の少なくとも３つの色光成分に分解するものであり、光の入射側から順に、
第１のダイクロイック膜を有し、前記第１のダイクロイック膜によって反射された第１の色光成分を取り出す第１のプリズムと、
第２のダイクロイック膜を有し、前記第１のダイクロイック膜を透過し前記第２のダイクロイック膜によって反射された第２の色光成分を取り出す第２のプリズムと、
前記第１および第２のダイクロイック膜を透過した第３の色光成分を取り出す第３のプリズムと
を少なくとも備え、
前記第１および第２のダイクロイック膜は、その分光特性を示す特性曲線の傾きが、前記変換理想特性を示す特性曲線の傾きに応じた傾きとなるように設計されている
ことを特徴とする請求項１ないし３のいずれか１項に記載の撮像装置。
【請求項５】
前記色分解プリズムは、前記第１のダイクロイック膜が、前記第１の色光成分として青色光を反射する膜構成とされると共に、前記第２のダイクロイック膜が、前記第２の色光成分として赤色光を反射する膜構成とされ、かつ、
前記第１のダイクロイック膜の波長に対する透過率を示す透過特性曲線の傾きが、４３０ｎｍ以上６７０ｎｍ以下の波長範囲内において、最低透過率と最高透過率との間の範囲の２０％から８０％に変化する平均傾き値が０．２（％／ｎｍ）以上２．０（％／ｎｍ）以下となる形状を有し、
前記第２のダイクロイック膜の波長に対する透過率を示す透過特性曲線の傾きが、４３０ｎｍ以上６７０ｎｍ以下の波長範囲内において、最高透過率と最低透過率との間の範囲の８０％から２０％に変化する平均傾き値が−２．０（％／ｎｍ）以上−０．２（％／ｎｍ）以下となる形状を有する
ことを特徴とする請求項４に記載の撮像装置。
【請求項６】
所望とする色再現系の分光特性が加味された再現系理想特性に対して負の値の分光領域を減らすような可逆な変換を施した変換理想特性を光学的に再現するために用いられる色分解プリズム、を含む撮像光学系と、前記色分解プリズムによって色分解された複数の色光に対応して設けられ、入射した各色光に応じた色信号を出力する複数の撮像素子と、前記複数の撮像素子から出力された複数の色信号に対して、係数記憶部に記憶された色特性変換係数を乗ずる演算を行う信号処理部とを備えた撮像装置における信号処理方法であって、
基準となる色調整用の被写体を撮像したときに前記複数の撮像素子から出力された色信号に基づいて、前記撮像光学系と前記複数の撮像素子とを含む撮像系全体の総合的な分光特性を第１の演算手段によって求めるステップと、
前記総合的な分光特性と前記再現系理想特性または前記変換理想特性との分光特性のずれを第２の演算手段によって求めるステップと、
前記分光特性のずれを減らし、前記総合的な分光特性が前記再現系理想特性に近づくようなマトリクス係数を色特性変換係数として第３の演算手段によって求めるステップと、
前記求められた色特性変換係数を示すデータを前記係数記憶部に記憶させるステップと、
前記複数の撮像素子から出力された複数の色信号に対して、前記係数記憶部に記憶された色特性変換係数を乗ずる演算を行うステップと
を含むことを特徴とする信号処理方法。
【請求項７】
前記撮像装置における動作モードを、切替制御部によって色調整モードと通常撮影モードとに切り替えるステップをさらに含み、
前記切替制御部によって前記色調整モードに切り替えられた場合に、前記第１の演算手段、前記第２の演算手段、および前記第３の演算手段を用いて前記色特性変換係数を求めて前記係数記憶部に記憶する処理を行う
ことを特徴とする請求項６に記載の信号処理方法。
【発明の詳細な説明】
【技術分野】
【０００１】
本発明は、複数の撮像素子から出力された複数の色信号に対して、所望の分光特性を再現するために色特性変換用のマトリクス係数を乗ずる信号処理を行う撮像装置およびその撮像装置における信号処理方法に関する。
【背景技術】
【０００２】
一般に、テレビカメラやビデオカメラ等の撮像装置には、色分解光学系が備えられている。図１５は、従来の色分解光学系の構成例を示している。この色分解光学系１０１は、撮影レンズ１０２を介して入射した入射光Ｌを青色光ＬＢ、赤色光ＬＲ、および緑色光ＬＧの３つの色光成分に分解するものである。色分解光学系１０１によって分解された各色光に対応する位置には、ＣＣＤ（Charge Coupled Device）等の各色光用の撮像素子４Ｂ，４Ｒ，４Ｇが配置される。この色分解光学系１０１は、フィリップス型色分解光学系と呼ばれるものであり、光軸Ｚ１に沿って光の入射側から順に、第１のプリズム１１０と第２のプリズム１２０と第３のプリズム１３０とからなる色分解プリズムを備え、第１のプリズム１１０で青色光ＬＢ、第２のプリズム１２０で赤色光ＬＲ、第３のプリズム１３０で緑色光ＬＧを取り出す構成とされている。
【０００３】
第１のプリズム１１０の反射・透過面１１１には、青色光反射ダイクロイック膜ＤＢ１が形成されている。第２のプリズム１２０の反射・透過面１２１には、赤色光反射ダイクロイック膜ＤＲ１が形成されている。第１のプリズム１１０と第２のプリズム１２０は、第１のプリズム１１０における青色光反射ダイクロイック膜ＤＢ１が形成された面１１１と第２のプリズム１２０における光の入射面とが空気間隔１１０ＡＧを空けて互いに対向するようにして配置されている。また、第１のプリズム１１０の光射出面にはトリミングフィルタ１５１が設けられている。トリミングフィルタ１５１の光射出面にはダイクロイック膜１５１Ａが形成されている。同様に、第２のプリズム１２０の光射出面にはダイクロイック膜１５２Ａが形成されたトリミングフィルタ１５２が設けられ、第３のプリズム１３０の光射出面にはダイクロイック膜１５３Ａが形成されたトリミングフィルタ１５３が設けられている。トリミングフィルタ１５１，１５２，１５３は、分光特性を理想とする特性に近づけるために設けられており、青色光反射ダイクロイック膜ＤＢ１と赤色光反射ダイクロイック膜ＤＲ１とでは十分に整形できなかった波長成分の分光特性を整える役割を持つ。
【０００４】
図１７は、一般にカラー撮像系で理想とされている分光特性を赤色（Ｒ）成分、青色（Ｂ）成分、および緑色（Ｇ）成分の３色について示している。なお、図１７の理想特性は、各色光成分の最大値が１となるように規格化したものであり、縦軸は透過率強度を示す。この「理想特性」は、色再現系の分光特性が加味された特性である。ここで、「色再現系の分光特性」とは、所望の色再現媒体の分光特性が加味された特性である。例えば、色再現媒体の３原色の色度座標から換算され、ＸＹＺ表色系（国際照明委員会が１９３１年に導入したＸＹＺ表色系）の等色関数ｘ（λ），ｙ（λ），ｚ（λ）の一次変換により求めることができる。ここで、「色再現媒体」とは、撮像装置によって撮影された画像を再現（表示）するものであり、例えば液晶モニタやプロジェクタ等の表示装置である。図１６は、理想特性を求めるための３原色Ｒ，Ｇ，Ｂの色度座標の一例を示している。３原色Ｒ，Ｇ，Ｂは、色再現媒体で再現可能な色範囲を決定する。
【０００５】
図１５に示した色分解光学系１０１を用いて図１７に示したような理想特性と同じ特性が得られれば理想的な色再現を行うことができる。しかしながら実際には、完全に理想特性と同じ特性にすることは困難であり、理想特性に近似した特性となるような設計がなされている。従来の色分解光学系１０１では、各プリズムに形成されたダイクロイック膜ＤＢ１，ＤＲ１とトリミングフィルタ１５１，１５２，１５３に形成されたダイクロイック膜１５１Ａ，１５２Ａ，１５３Ａとを適宜調整することで、理想特性に近似した特性となるような設計がなされていた。図１８は、そのような設計を行うことにより得られる従来の一般的な色分解光学系の分光透過特性を示している。
【０００６】
図１９は、従来の色分解光学系１０１で用いられているダイクロイック膜ＤＢ１，ＤＲ１の設計例を示している。図１９に示したように、従来では、ダイクロイック膜ＤＢ１，ＤＲ１として、その波長対透過率の特性曲線が、図１７に示した理想特性の曲線に比べて急峻な立ち上がり、または立ち下がりを見せる特性を持つものが使用されていた。さらに，ダイクロイック膜１５１Ａ，１５２Ａ，１５３Ａの施されたトリミングフィルタ１５１，１５２，１５３を用いて各プリズムの射出面から射出する光の不要な波長成分を遮断している。
【０００７】
特許文献１には、等色関数に近似した分光応答度を持つ光電センサと、等色関数の透過限界波長付近で分光応答度が最大となるような補正センサとを備え、光電センサと補正センサとの出力値に適当な係数を乗じて加えることで、光電センサの分光応答度と等色関数との偏差による色度測定の精度低下を防ぐようにした色彩測定器の発明が開示されている。
【特許文献１】特開平９−４９７６５号公報
【発明の開示】
【発明が解決しようとする課題】
【０００８】
ところで、図１７に示した理想特性では、負の分光感度となる領域があり、特に赤色の分光特性について負の感度となる領域（図１７の領域１００）が多い。この負の領域は、理論上得られるものであり、この負の部分を実際の光学系で直接的に再現することは不可能である。従来の色分解光学系では、図１８に示したように、負の領域は再現できない。一方、この光学系で直接的に再現することができない負の特性を、撮像装置側の信号処理の演算により再現することが考えられる。例えば、図１７に示した理想特性に対し、負の領域を無くすような、可逆な変換を施した特性を求め、その変換特性を色分解光学系で再現する理想特性とする。そして、その色分解光学系からの出力に対し、撮像装置側の信号処理で逆変換を施すことで、理論的には、負の領域を再現し、擬似的に本来の理想特性を再現することができる。
より具体的には、各色の撮像素子から出力された各色の信号値に対し、マトリクス係数と呼ばれる色特性の変換係数を乗ずることで逆変換を行い、擬似的に理想特性を再現することができる。
【０００９】
色分解光学系を含むカラー撮像系全体が、理想的に設計・製造されていれば、上記した方法により、理論的には所望の理想特性を再現することができる。しかしながら、実際には製造誤差や設計誤差があるため、撮像系全体を理想的な特性で製造することは困難である。また、実際の撮影時の分光特性は、光源の分光特性も影響を与えるが、撮影現場では設計時に想定された光源とは異なる光源が用いられる場合もあり、撮影環境によっては理想特性を再現できない場合がある。そのため、実際に製造された撮像装置において、上記した方法で、各色の信号値に対して逆変換を行ったとしても、完全には理想特性を再現することは困難である。これは、撮像系が理想的に設計されていることを前提として、逆変換に用いる変換係数（マトリクス係数）が決定されているためである。実際に製造された撮像装置において、上記した方法で理想特性を再現するためには、逆変換に用いる変換係数を、製造誤差や設計誤差等を考慮したものにすることが必要である。この場合特に、カラー撮像系において、分光特性に大きな影響を与えるのは色分解プリズムの分光特性である。そのため、特に色分解プリズムの製造誤差や設計誤差等を考慮することが重要である。
【００１０】
テレビカメラやビデオカメラ等の撮像装置では、上述したように再現系の特性を加味した、図１７に示したような再現系理想特性を再現する必要がある。上記した方法でこの理想特性を再現する場合、所望とする再現系の特性に応じた変換係数を用いることが好ましい。一方、特許文献１に記載の色彩測定器では、補正センサを設け、光電センサと補正センサとの出力値に適当な係数を乗じて加えることで、光電センサの分光応答度と等色関数との偏差を最小とし、理想的な色度測定を行えるようにしている。すなわち、特許文献１に記載の技術は、等色関数そのものの特性を実現できるようにするための発明であり、再現系を考慮した特性を実現しようとするものではない。
【００１１】
本発明はかかる問題点に鑑みてなされたもので、その目的は、所望の色再現系の特性が加味された理想的な分光特性に近い特性を得ることができるようにした撮像装置およびその撮像装置における信号処理方法を提供することにある。
【課題を解決するための手段】
【００１２】
本発明の撮像装置は、所望とする色再現系の分光特性が加味された再現系理想特性に対して負の値の分光領域を減らすような可逆な変換を施した変換理想特性を光学的に再現するための色分解プリズム、を含む撮像光学系と、色分解プリズムによって色分解された複数の色光に対応して設けられ、入射した各色光に応じた色信号を出力する複数の撮像素子と、基準となる色調整用の被写体を撮像したときに複数の撮像素子から出力された色信号に基づいて、撮像光学系と複数の撮像素子とを含む撮像系全体の総合的な分光特性を求める第１の演算手段と、総合的な分光特性と再現系理想特性または変換理想特性との分光特性のずれを求める第２の演算手段と、分光特性のずれを減らし、総合的な分光特性が再現系理想特性に近づくようなマトリクス係数を色特性変換係数として求める第３の演算手段と、求められた色特性変換係数を示すデータを記憶する係数記憶部と、複数の撮像素子から出力された複数の色信号に対して、係数記憶部に記憶された色特性変換係数を乗ずる演算を行う信号処理部とを備えたものである。
【００１３】
本発明の撮像装置では、基準となる色調整用の被写体を撮像したときに複数の撮像素子から出力された色信号に基づいて、撮像光学系と複数の撮像素子とを含む撮像系全体の総合的な分光特性が求められ、その総合的な分光特性と再現系理想特性または変換理想特性との分光特性のずれが求められる。その分光特性のずれを減らし、総合的な分光特性が再現系理想特性に近づくようなマトリクス係数が、色特性変換係数として求められ、係数記憶部に記憶される。信号処理部では、複数の撮像素子から出力された複数の色信号に対して、係数記憶部に記憶された色特性変換係数を乗ずる演算を行う。これにより、分光特性に大きな影響を与える色分解プリズムを含む撮像系全体の設計誤差や製造誤差が補正され、映像信号として、所望の色再現系の特性が加味された理想的な分光特性に近い特性が得られる。
【００１４】
本発明の撮像装置において、動作モードを、色調整モードと通常撮影モードとに切り替える切替制御部をさらに備え、切替制御部によって色調整モードに切り替えられた場合に、第１の演算手段、第２の演算手段、および第３の演算手段を用いて色特性変換係数を求めて係数記憶部に記憶する処理を行い、切替制御部によって通常撮影モードに切り替えられた場合に、信号処理部が、複数の撮像素子から出力された複数の色信号に対して、係数記憶部に記憶された色特性変換係数を乗ずる信号処理を行うようになされていても良い。
【００１５】
また、本発明の撮像装置において、色分解プリズムは、例えば、入射光を青色光、赤色光、および緑色光の少なくとも３つの色光成分に分解するものであり、光の入射側から順に、第１のダイクロイック膜を有し、第１のダイクロイック膜によって反射された第１の色光成分を取り出す第１のプリズムと、第２のダイクロイック膜を有し、第１のダイクロイック膜を透過し第２のダイクロイック膜によって反射された第２の色光成分を取り出す第２のプリズムと、第１および第２のダイクロイック膜を透過した第３の色光成分を取り出す第３のプリズムとを少なくとも備えたものを使用することができる。この場合、第１および第２のダイクロイック膜は、その分光特性を示す特性曲線の傾きが、変換理想特性を示す特性曲線の傾きに応じた傾きとなるように設計されていることが好ましい。
【００１６】
より具体的には例えば、色分解プリズムは、第１のダイクロイック膜が、第１の色光成分として青色光を反射する膜構成とされると共に、第２のダイクロイック膜が、第２の色光成分として赤色光を反射する膜構成とされ、かつ、第１のダイクロイック膜の波長に対する透過率を示す透過特性曲線の傾きが、４３０ｎｍ以上６７０ｎｍ以下の波長範囲内において、最低透過率と最高透過率との間の範囲の２０％から８０％に変化する平均傾き値が０．２（％／ｎｍ）以上２．０（％／ｎｍ）以下となる形状を有するように設計されていることが好ましい。また、第２のダイクロイック膜の波長に対する透過率を示す透過特性曲線の傾きが、４３０ｎｍ以上６７０ｎｍ以下の波長範囲内において、最高透過率と最低透過率との間の範囲の８０％から２０％に変化する平均傾き値が−２．０（％／ｎｍ）以上−０．２（％／ｎｍ）以下となる形状を有するように設計されていることが好ましい。
色分解プリズムとして、このような変換理想特性を示す特性曲線の傾きに応じた傾きとなるように設計されたものを用いることで、色分解プリズムを撮像装置に組み込んだときの撮像系全体の総合的な分光特性を変換理想特性に近似させやすくなる。さらに、求められた色特性変換係数と組み合わせることで、所望の色再現系の特性が加味された理想的な分光特性に近い特性を得やすくなる。
【００１７】
本発明の信号処理方法は、所望とする色再現系の分光特性が加味された再現系理想特性に対して負の値の分光領域を減らすような可逆な変換を施した変換理想特性を光学的に再現するために用いられる色分解プリズム、を含む撮像光学系と、色分解プリズムによって色分解された複数の色光に対応して設けられ、入射した各色光に応じた色信号を出力する複数の撮像素子と、複数の撮像素子から出力された複数の色信号に対して、係数記憶部に記憶された色特性変換係数を乗ずる演算を行う信号処理部とを備えた撮像装置における信号処理方法であって、基準となる色調整用の被写体を撮像したときに複数の撮像素子から出力された色信号に基づいて、撮像光学系と複数の撮像素子とを含む撮像系全体の総合的な分光特性を第１の演算手段によって求めるステップと、総合的な分光特性と再現系理想特性または変換理想特性との分光特性のずれを第２の演算手段によって求めるステップと、分光特性のずれを減らし、総合的な分光特性が再現系理想特性に近づくようなマトリクス係数を色特性変換係数として第３の演算手段によって求めるステップと、求められた色特性変換係数を示すデータを係数記憶部に記憶させるステップと、複数の撮像素子から出力された複数の色信号に対して、係数記憶部に記憶された色特性変換係数を乗ずる演算を行うステップとを含むものである。
【００１８】
本発明の信号処理方法では、基準となる色調整用の被写体を撮像したときに複数の撮像素子から出力された色信号に基づいて、撮像光学系と複数の撮像素子とを含む撮像系全体の総合的な分光特性が求められ、その総合的な分光特性と再現系理想特性または変換理想特性との分光特性のずれが求められる。その分光特性のずれを減らし、総合的な分光特性が再現系理想特性に近づくようなマトリクス係数が、色特性変換係数として求められ、係数記憶部に記憶される。
このようにして決定され、係数記憶部に記憶された色特性変換係数を、撮像装置側の信号処理部で使用することで、分光特性に大きな影響を与える色分解プリズムを含む撮像系全体の設計誤差や製造誤差が補正され、映像信号として、所望の色再現系の特性が加味された理想的な分光特性に近い特性が得られる。
【００１９】
本発明の信号処理方法において、撮像装置における動作モードを、切替制御部によって色調整モードと通常撮影モードとに切り替えるステップをさらに含み、切替制御部によって色調整モードに切り替えられた場合に、第１の演算手段、第２の演算手段、および第３の演算手段を用いて色特性変換係数を求めて係数記憶部に記憶する処理を行うようにしても良い。
【００２０】
ここで、本発明の撮像装置および信号処理方法において、「色再現系の分光特性」とは、所望の色再現媒体の分光特性が加味された特性である。「色再現媒体」とは、撮像装置によって撮影された画像を再現（表示）するものであり、例えば液晶モニタやプロジェクタ等の表示装置である。「再現系理想特性」とは、例えば、所望の色再現媒体の３原色の色度座標から換算され、ＸＹＺ表色系（国際照明委員会が１９３１年に導入したＸＹＺ表色系）の等色関数の一次変換で示された、負の値となる分光領域を有する特性である。
【発明の効果】
【００２１】
本発明の撮像装置によれば、基準となる色調整用の被写体を撮像したときに複数の撮像素子から出力された色信号に基づいて撮像光学系と複数の撮像素子とを含む撮像系全体の総合的な分光特性を求め、その総合的な分光特性と再現系理想特性または変換理想特性との分光特性のずれに基づいて総合的な分光特性が再現系理想特性に近づくようなマトリクス係数を色特性変換係数として求めて係数記憶部に記憶し、信号処理部で、色信号に対して、その係数記憶部に記憶された色特性変換係数を乗ずる演算を行うようにしたので、分光特性に大きな影響を与える色分解プリズムを含む撮像系全体の設計誤差や製造誤差を補正することができ、カラー撮像系において所望の色再現系の特性が加味された理想的な分光特性に近い特性を得ることができる。
【００２２】
本発明の信号処理方法によれば、基準となる色調整用の被写体を撮像したときに複数の撮像素子から出力された色信号に基づいて撮像光学系と複数の撮像素子とを含む撮像系全体の総合的な分光特性を求め、その総合的な分光特性と再現系理想特性または変換理想特性との分光特性のずれに基づいて総合的な分光特性が再現系理想特性に近づくようなマトリクス係数を色特性変換係数として求めて係数記憶部に記憶するようにしたので、係数記憶部に記憶された色特性変換係数を、撮像装置側の信号処理部で使用することで、分光特性に大きな影響を与える色分解プリズムを含む撮像系全体の設計誤差や製造誤差を補正することができ、カラー撮像系において所望の色再現系の特性が加味された理想的な分光特性に近い特性を得ることができる。
【発明を実施するための最良の形態】
【００２３】
以下、本発明の実施の形態について図面を参照して詳細に説明する。
［第１の実施の形態］
【００２４】
図１は、本発明の第１の実施の形態に係る色分解光学系１を備えた撮像装置の要部構成を示している。この撮像装置は例えばテレビカメラやビデオカメラ等に利用可能である。この撮像装置は、撮像光学系と、撮像光学系を介して入射した各色光に応じた色信号を出力する複数の撮像素子４Ｂ，４Ｒ，４Ｇと、撮像装置本体６０内に設けられ、複数の撮像素子４Ｂ，４Ｒ，４Ｇからの色信号を処理して映像信号Ｖoutとして出力する撮像系信号回路とを備えている。この撮像装置はまた、使用者が動作モード等を指示するための操作部６５を備えている。撮像光学系は、色分解光学系１と、撮影レンズ２とを有している。
【００２５】
撮像系信号回路は、係数記憶部６１と、信号処理部６２と、係数演算部６３と、制御部６４とを有している。係数記憶部６１は、不揮発性の半導体メモリ等で構成されている。信号処理部６２は、例えば画像処理用のＭＰＵ（マイクロプロセッサユニット）を有した構成とされている。制御部６４は、ＣＰＵ（Central Processing Unit）を有した構成とされている。制御部６４は、操作部６５からの指示に応じて後述する２つの動作モードの切り替え制御を行う等、各回路の動作制御を行うものである。
本実施の形態において、制御部６４は、本発明における「切替制御部」の一具体例に対応する。また、係数演算部６３は、本発明における「第１の演算手段」、「第２の演算手段」、および「第３の演算手段」の一具体例に対応する。
【００２６】
色分解光学系１は、撮影レンズ２を介して入射した入射光Ｌを青色光ＬＢ、赤色光ＬＲ、および緑色光ＬＧの３つの色光成分に分解するものである。色分解光学系１によって分解された各色光に対応する位置には、ＣＣＤ等の各色光用の撮像素子４Ｂ，４Ｒ，４Ｇが配置されている。
【００２７】
色分解光学系１は、フィリップス型色分解光学系と呼ばれるものであり、光軸Ｚ１に沿って光の入射側から順に、ＩＲ（赤外）カットフィルタ３と、第１のプリズム１０、第２のプリズム２０および第３のプリズム３０からなる色分解プリズムとを備えている。本実施の形態における色分解光学系１は、第１のプリズム１０で青色光ＬＢ、第２のプリズム２０で赤色光ＬＲ、第３のプリズム３０で緑色光ＬＧを取り出す構成例である。
【００２８】
第１のプリズム１０は、第１の面１１、第２の面１２、および第３の面１３を有している。第１のプリズム１０の第３の面１３は光射出面である。この射出面にはトリミングフィルタ５１が設けられている。このトリミングフィルタ５１には、従来用いられていたような特性調整用のダイクロイック膜は設けられておらず、その代わりに、トリミングフィルタ５１の光射出面にゴースト・フレア防止用の反射防止膜５１ＡＲが形成されている。なお、トリミングフィルタ５１を設けることなく、第１のプリズム１０の第３の面１３に直接、反射防止膜５１ＡＲを形成するようにしても良い。
【００２９】
第１のプリズム１０の第２の面１２には、第１のダイクロイック膜としての青色光反射ダイクロイック膜ＤＢが形成されている。青色光反射ダイクロイック膜ＤＢは、第１の色光成分として青色光ＬＢを反射し、赤色光ＬＲおよび緑色光ＬＧを透過する膜構成とされている。青色光反射ダイクロイック膜ＤＢは、後述するように、目的とする所定の分光特性に応じた膜特性で設計されている。
【００３０】
第２のプリズム２０は、第１の面２１、第２の面２２、および第３の面２３を有している。第２のプリズム２０は、第１のプリズム１０に対して所定の空気間隔１０ＡＧを空けて配置されている。より詳しくは、第２のプリズム２０の第１の面２１と、第１のプリズム１０の第２の面１２とが略平行となるように、空気間隔１０ＡＧを空けて対向配置されている。第２のプリズム２０の第３の面２３は光射出面である。この射出面にはトリミングフィルタ５２が設けられている。このトリミングフィルタ５２には、第１のプリズム１０におけるトリミングフィルタ５１と同様、特性調整用のダイクロイック膜は設けられておらず、その代わりに、トリミングフィルタ５２の光射出面にゴースト・フレア防止用の反射防止膜５２ＡＲが形成されている。なお、トリミングフィルタ５２を設けることなく、第２のプリズム２０の第３の面２３に直接、反射防止膜５２ＡＲを形成するようにしても良い。
【００３１】
第２のプリズム２０の第２の面２２には、第２のダイクロイック膜としての赤色光反射ダイクロイック膜ＤＲが形成されている。赤色光反射ダイクロイック膜ＤＲは、第２の色光成分として赤色光ＬＲを反射し、緑色光ＬＧを透過する膜構成とされている。赤色光反射ダイクロイック膜ＤＲは、後述するように、目的とする所定の分光特性に応じた膜特性で設計されている。
【００３２】
第３のプリズム３０は、第１の面３１、および第２の面３２を有している。第３のプリズム３０は、赤色光反射ダイクロイック膜ＤＲを介して第２のプリズム２０に接合されている。より詳しくは、第２のプリズム２０の第２の面２２と、第３のプリズム３０の第１の面３１とが赤色光反射ダイクロイック膜ＤＲを介して接合されている。第３のプリズム３０の第２の面３２は光射出面である。この射出面にはトリミングフィルタ５３が設けられている。このトリミングフィルタ５３には、第１のプリズム１０におけるトリミングフィルタ５１と同様、特性調整用のダイクロイック膜は設けられておらず、その代わりに、トリミングフィルタ５３の光射出面にゴースト・フレア防止用の反射防止膜５３ＡＲが形成されている。なお、トリミングフィルタ５３を設けることなく、第３のプリズム３０の第２の面３２に直接、反射防止膜５３ＡＲを形成するようにしても良い。
【００３３】
ＩＲカットフィルタ３は、第１のプリズム１０の前側に配置されている。ＩＲカットフィルタ３は、理想的な分光特性に近い特性をより得やすくするために、視感度に近似した特性を持つ吸収型フィルタで構成されていることが好ましい。ここでいう「視感度に近似した特性を持つ吸収型フィルタ」とは、「視感度補正フィルタ」と呼ばれ、人間の目の感度特性に近似し、緑から赤の波長に向かって減衰する透過率を持ち、赤外域でも透過率が低下しているような吸収型フィルタである。なお、ＩＲカットフィルタ３を第１のプリズム１０の前側ではなく、赤色光を取り出すプリズム（図１では第２のプリズム２０）の光射出面側に配置しても良い。また、ＩＲカットフィルタ３を、第１のプリズム１０の前側と赤色光を取り出すプリズムの光射出面側の双方に配置しても良い。また、吸収型フィルタだけでは赤外光を十分に除去できない場合には、赤外光をカットするコートタイプの赤外カットフィルタをさらに備えていても良い。図１では、平板状の吸収型フィルタに赤外光をカットする膜３Ｒをコートした構成例を示している。ただし、赤色光を取り出すプリズムの光射出面側にＩＲカットフィルタ３を配置する場合は、赤外カット用のコートは施さず、吸収型フィルタのみで構成することが好ましい。その場合さらに、吸収型フィルタに反射防止膜を施した構成にすることがより好ましい。
【００３４】
なお、図示しないが、この色分解光学系１において、第１のプリズム１０よりも前側に配置され、紫外光をカットする吸収タイプもしくはコートタイプの紫外カットフィルタをさらに備えていても良い。
【００３５】
ここで、本実施の形態における撮像光学系によって光学的に再現しようとしている再現系理想特性について説明する。
【００３６】
本実施の形態において、撮像装置の出力として最終的に再現したい特性は、例えば図２（Ａ）に示したような再現系理想特性である。これは、規格化されていないだけで、図１７に示した特性と実質的に同じである。この再現系理想特性は、例えば、所望の色再現媒体の３原色の色度座標から換算され、ＸＹＺ表色系の等色関数ｘ（λ），ｙ（λ），ｚ（λ）の一次変換された関数ｒ（λ），ｇ（λ），ｂ（λ）で表されるものである。この再現系理想特性を表す関数ｒ（λ），ｇ（λ），ｂ（λ）は、ＲＧＢ表色系の等色関数そのものであっても良い。この再現系理想特性を表す関数ｒ（λ），ｇ（λ），ｂ（λ）にはまた、人間の視覚特性が加味されていても良い。このような再現系理想特性には負の分光感度となる領域が存在するが、その負の分光感度となる領域は、撮像光学系で光学的に直接的に再現することはできない。そこで、本実施の形態では、図２（Ａ）に示した再現系理想特性に対し、負の領域を無くすような、可逆な変換を施した特性をあらかじめ演算により求め、その変換特性を撮像光学系で光学的に再現する変換理想特性（目的とする所定の分光特性）としている。そして、その撮像光学系を介して撮像素子４Ｂ，４Ｒ，４Ｇから出力された各色の色信号（信号値Ｒｓ，Ｇｓ，Ｂｓ）に対し、信号処理部６２で逆変換を施す演算を行うことで負の領域を再現し、擬似的に本来の理想特性（再現系理想特性）を再現するようにしている。
【００３７】
図２（Ｂ）は、図２（Ａ）に示した関数ｒ（λ），ｇ（λ），ｂ（λ）で表される各色の再現系理想特性に対し、上記した負の領域を無くすような可逆な変換を施した変換理想特性の関数ｒ’（λ），ｇ’（λ），ｂ’（λ）の一例を示している。このような変換は、以下の［数１］の式（１）に示すような１次変換の演算により行うことができる。Ｍは、変換理想特性を表す関数ｒ’（λ），ｇ’（λ），ｂ’（λ）において、負の値ができるだけ少なくなるような行列とする。ここで、撮像光学系が理想的に設計・製造されていれば、以下の［数２］の式（２）に示すように、関数ｒ’（λ），ｇ’（λ），ｂ’（λ）に逆行列Ｍ-1を掛けて逆変換することで、理論的には、所望とする元の再現系理想特性の関数ｒ（λ），ｇ（λ），ｂ（λ）を再現することができる。
【００３８】
【数１】
2010074213.tif 000003
【００３９】
【数２】
2010074213.tif 000004
【００４０】
本実施の形態においては、特に、青色光反射ダイクロイック膜ＤＢおよび赤色光反射ダイクロイック膜ＤＲの膜特性を、上記関数ｒ’（λ），ｇ’（λ），ｂ’（λ）で表される変換理想特性を再現することを目標とした設計とし、撮像光学系において、できるだけ関数ｒ’（λ），ｇ’（λ），ｂ’（λ）で表される変換理想特性に近似した特性が得られるようにしている。ここで、関数ｒ’（λ），ｇ’（λ），ｂ’（λ）で表される変換理想特性は、負の値ができるだけ少なくなるような特性とされているので、理論的には、撮像光学系で光学的に直接的に再現することが可能である。
【００４１】
図３（Ａ）は、本実施の形態における青色光反射ダイクロイック膜ＤＢの透過特性曲線の一例を示している。青色光反射ダイクロイック膜ＤＢは、波長に対する透過率を示す透過特性曲線の傾きが、理想的な緑色の分光特性（上記した一次変換された関数ｇ’（λ）で表される緑色の変換理想特性）の短波長側の特性曲線に沿う形状を有している。具体的には、青色光反射ダイクロイック膜ＤＢは、その透過特性曲線の傾きが、理想的な緑色の分光特性の短波長側の特性曲線に沿う形で４３０ｎｍ以上６７０ｎｍ以下の波長範囲内で低透過率から高透過率に立ち上がる変化をする形状を有するように構成されている。より具体的には、その透過特性曲線が、４３０ｎｍ以上６７０ｎｍ以下の波長範囲内において、最低透過率と最高透過率との間の範囲の２０％から８０％に変化する平均傾き値が０．２（％／ｎｍ）以上２．０（％／ｎｍ）以下となる形状を有していることが好ましい。
【００４２】
図３（Ｂ）は、本実施の形態における赤色光反射ダイクロイック膜ＤＲの透過特性曲線の一例を示している。赤色光反射ダイクロイック膜ＤＲは、波長に対する透過率を示す透過特性曲線の傾きが、理想的な緑色の分光特性（上記した一次変換された関数ｇ’（λ）で表される緑色の変換理想特性）の長波長側の特性曲線に沿う形状を有している。具体的には、赤色光反射ダイクロイック膜ＤＲは、その透過特性曲線の傾きが、理想的な緑色の分光特性の長波長側の特性曲線に沿う形で４３０ｎｍ以上６７０ｎｍ以下の波長範囲内で高透過率から低透過率に立ち下がる変化をする形状を有するように構成されている。より具体的には、その透過特性曲線が、４３０ｎｍ以上６７０ｎｍ以下の波長範囲内において、最高透過率と最低透過率との間の範囲の８０％から２０％に変化する平均傾き値が−２．０（％／ｎｍ）以上−０．２（％／ｎｍ）以下となる形状を有していることが好ましい。
【００４３】
このように、本実施の形態における青色光反射ダイクロイック膜ＤＢおよび赤色光反射ダイクロイック膜ＤＲは、その特性曲線の傾きが、理想とする分光特性に応じた設計とされている。
【００４４】
しかしながら、撮像光学系を、上記関数ｒ’（λ），ｇ’（λ），ｂ’（λ）で表される変換理想特性を再現することを目標とした設計にしたとしても、製造誤差や設計誤差等があるため、完全に理想的なものを製造することは困難である。そのため、実際に製造された撮像装置において、上記した方法で再現系理想特性を再現するためには、逆変換に用いる変換係数Ｍ-1を、製造誤差や設計誤差等を考慮したものにすることが必要である。この場合、特に、カラー撮像系において、分光特性に大きな影響を与えるのは色分解光学系１における色分解プリズムの分光特性である。
【００４５】
そのため、本実施の形態においては、動作モードとして、色調整モードと通常撮影モードとを有し、操作部６５からの指示に応じて制御部６４によって、色調整モードに切り替えられた場合に、撮像素子４Ｂ，４Ｒ，４Ｇから出力された各色信号に基づいて撮像系全体の総合的な分光特性を、係数演算部６３において測定して求めるようにしている。
【００４６】
係数演算部６３はまた、色調整モードに切り替えられた場合に、総合的な分光特性と所望とする再現系の理想特性との分光特性のずれを求め、その特性のずれに基づいて、総合的な分光特性が再現系の理想特性に近づくようなマトリクス係数を、色特性変換係数として求めるようにしている。この色特性変換係数を、上記した逆変換に用いる変換係数Ｍ-1に相当するものとして、係数記憶部６１に記憶する。
以下、本実施の形態では、上記した理論的な変換係数Ｍ-1に代えて実際の逆変換の演算に用いる色特性変換係数を、
（Ｍ-1）’と表記する。
信号処理部６２では、通常撮影モードに切り替えられた場合に、撮像素子４Ｒ，４Ｇ，４Ｂから出力された各色信号に対して、係数記憶部６１に記憶された色特性変換係数（Ｍ-1）’を乗ずる演算を行って、映像信号Ｖoutとして出力するようにしている。
【００４７】
ここで、製造誤差や設計誤差等を考慮した撮像系全体の総合的な分光特性が、関数ｒ0’（λ），ｇ0’（λ），ｂ0’（λ）で表されるものとすると、以下の［数３］の式（３）に示すように、関数ｒ0’（λ），ｇ0’（λ），ｂ0’（λ）に色特性変換係数（Ｍ-1）’を乗ずる逆変換をすることで、関数ｒ’’（λ），ｇ’’（λ），ｂ’’（λ）で表される特性が得られる。色特性変換係数（Ｍ-1）’として、再現系理想特性とのずれが最小となるような値を決めることで、関数ｒ’’（λ），ｇ’’（λ），ｂ’’（λ）は、所望とする元の再現系理想特性の関数ｒ（λ），ｇ（λ），ｂ（λ）に近似した特性とすることができる。すなわち、色特性変換係数（Ｍ-1）’としては、上記式（２）で表される理論式の関数ｒ（λ），ｇ（λ），ｂ（λ）と、上記式（３）で表される製造誤差等を考慮した実測値ベースの関数ｒ’’（λ），ｇ’’（λ），ｂ’’（λ）との差が最小となるような係数を求めれば良い。例えば最小２乗法により、その２乗差が最小となるような係数を求めれば良い。
【００４８】
【数３】
2010074213.tif 000005
【００４９】
係数演算部６３は、例えばＭＰＵ（マイクロプロセッサユニット）を有した構成とされている。係数演算部６３は、色調整モードにおいて、基準となる色調整用の被写体を撮像したときに複数の撮像素子４Ｂ，４Ｒ，４Ｇから出力された色信号に基づいて、撮像系全体の総合的な分光特性を求め、例えば上記した最小２乗法により、本実施の形態における色特性変換係数（Ｍ-1）’を演算するようになっている。
ここで、「基準となる色調整用の被写体」としては、例えば、ショット社のベリルフィルタを用いることができる。
【００５０】
係数演算部６３で求められた色特性変換係数（Ｍ-1）’を示すデータは、係数記憶部６１に記憶されるようになっている。なお、係数演算部６３には、あらかじめデフォルトの色特性変換係数（Ｍ-1）’を記憶しておく。そして、使用者が撮影環境等に応じて分光特性を変えたいと思ったときに、色調整モードにして、最適な色特性変換係数（Ｍ-1）’に調整するようにすれば良い。また、係数演算部６３には、あらかじめ複数のデフォルトの色特性変換係数（Ｍ-1）’を記憶しておいても良い。そして、操作部６５からの指示に応じて、使用者が撮影環境等に応じて任意の色特性変換係数（Ｍ-1）’を選択できるようにしておいても良い。
【００５１】
次に、本実施の形態における撮像装置の動作を説明する。
【００５２】
図１に示した撮像装置において、図示しない光源によって照射された図示しない被写体からの被写体光は、撮影レンズ２を介して色分解光学系１に入射される。色分解光学系１では入射光Ｌを青色光ＬＢ、赤色光ＬＲ、および緑色光ＬＧの３つの色光成分に分解する。より詳しくは、まず、入射光Ｌのうち青色光ＬＢが、青色光反射ダイクロイック膜ＤＢによって反射され、第１のプリズム１０から第１の色光成分として取り出される。また、青色光反射ダイクロイック膜ＤＢを透過した赤色光ＬＲが、赤色光反射ダイクロイック膜ＤＲによって反射され、第２のプリズム２０から第２の色光成分として取り出される。さらに、青色光反射ダイクロイック膜ＤＢおよび赤色光反射ダイクロイック膜ＤＲを透過した緑色光ＬＧが、第３の色光成分として第３のプリズム３０から取り出される。色分解光学系１によって分解された各色光は、各色光に対応した設けられた撮像素子４Ｂ，４Ｒ，４Ｇに入射する。撮像素子４Ｂ，４Ｒ，４Ｇでは、入射した各色光に応じた電気信号を撮像信号として出力する。
【００５３】
ここで、本実施の形態における撮像光学系により得られる分光特性を、実際の設計例により示す。図４は、この色分解光学系１で用いられている青色光反射ダイクロイック膜ＤＢおよび赤色光反射ダイクロイック膜ＤＲの具体的な設計例での特性を示している。図４に示した特性は、例えば図５および図６に具体的に数値データとして示した膜設計により得られる。ただし、膜物質、層数および各層の膜厚は図５および図６の例に限定されるものではない。図７は、図４に示した膜設計の施されたプリズム部分全体（第１、第２および第３のプリズム１０，２０，３０全体）での分光透過特性を示している。
【００５４】
図８は、撮像装置におけるプリズム部以外の光学要素の分光特性の一例を示している。図８では、プリズム部以外の光学要素の特性として、図示しない色温度３２００Ｋの光源と、撮影レンズ２と、ＩＲカットフィルタ３と、撮像素子４Ｒ，４Ｇ，４ＢとしてのＣＣＤとを示している。図９は、図８に示したプリズム部以外の光学要素の特性と図７に示したプリズム部分全体での特性とを合わせた、撮像系全体での総合的な分光透過特性を示している。
【００５５】
図９に示した撮像系全体での総合的な分光特性では、図２（Ａ）に示した再現系理想特性に対して、負の分光領域を再現できていないが、本実施の形態では、撮像素子４Ｒ，４Ｇ，４Ｂから出力された各色信号に対して、信号処理部６２において、係数記憶部６１に記憶された色特性変換係数（Ｍ-1）’を乗ずる演算を行うことで、最終的には、図２（Ａ）に示したような再現系理想特性に近似した特性を再現できる。
【００５６】
次に、図１０、図１１および図１２を参照して、本実施の形態に係る撮像装置の分光特性を最終的な理想状態にまで導くためのプロセスを、本実施の形態における色特性変換係数（Ｍ-1）’の決定方法と共に説明する。なお、図１０は、撮像装置におけるモード選択の動作を示している。図１１および図１２は、設計・製造段階を含めて、最終的に再現系理想特性に近似した特性を再現するまでの全体のプロセスを示している。
【００５７】
まず、例えばＸＹＺ表色系の等色関数ｘ（λ），ｙ（λ），ｚ（λ）を関数変換し、所望とする色再現系の分光特性が加味された、関数ｒ（λ），ｇ（λ），ｂ（λ）で表される再現系理想特性を求めておく（図１１のステップＳ１０１，１０２、図１２（Ａ），（Ｂ））。次に、関数ｒ（λ），ｇ（λ），ｂ（λ）で表される各色の再現系理想特性に対し、上述の［数１］の式（１）に示すような変換行列Ｍを用いた演算により、負の領域を無くすような可逆な変換を施した正の値の関数ｒ’（λ），ｇ’（λ），ｂ’（λ）で表される変換理想特性を求める（ステップＳ１０３，Ｓ１０４、図１２（Ｃ））。ここまでのステップで求められる関数ｒ’（λ），ｇ’（λ），ｂ’（λ）は理論値である。この理論値に基づいて、色分解プリズムを始めとする撮像光学系を設計・製造していく。
【００５８】
設計段階として、撮像系全体の設計値を決定する（ステップＳ１０５、図１２（Ｄ））。これは正の値の関数ｒ’（λ），ｇ’（λ），ｂ’（λ）で表される変換理想特性に近似した正の値の総合設計値である。この変換理想特性に近似した総合設計値を再現することを目標として、撮像系を設計、製造する（ステップＳ１０６）。
【００５９】
このように設計、製造された撮像装置において、操作部６５からのモード選択の指示がなされ（図１０のステップＳ１０）、動作モードとして、制御部６４によって色調整モードに切り替えられたとする。係数演算部６３は、色調整モードにおいて、基準となる色調整用の被写体を撮像したとき（図１０のステップＳ１１）に、複数の撮像素子４Ｂ，４Ｒ，４Ｇから出力された色信号に基づいて、撮像系全体の総合的な分光特性を測定し、その特性の実測値を得る（図１０のステップＳ１２、図１１のステップＳ１０７、図１２（Ｅ））。ここで求められる総合的な分光特性は、色分解プリズムを含む撮像系全体の製造誤差や設計誤差等が考慮された、関数ｒ0’（λ），ｇ0’（λ），ｂ0’（λ）で表される撮像系全体の総合実測値であり、正の値である。
【００６０】
次に、係数演算部６３は、関数ｒ0’（λ），ｇ0’（λ），ｂ0’（λ）で表される総合的な分光特性と関数ｒ（λ），ｇ（λ），ｂ（λ）で表される再現系理想特性との分光特性のずれを求める。係数演算部６３は、その分光特性のずれを減らし、総合的な分光特性が再現系理想特性に近づくようなマトリクス係数を色特性変換係数（Ｍ-1）’として求める（図１０のステップＳ１３、図１１のステップＳ１０８）。具体的には、上述したように、上記式（２）で表される理論式の関数ｒ（λ），ｇ（λ），ｂ（λ）と、上記式（３）で表される製造誤差等を考慮した実測値ベースの関数ｒ’’（λ），ｇ’’（λ），ｂ’’（λ）との差が最小となるような係数を最小２乗法等の演算により求める。係数演算部６３は、求められた色特性変換係数（Ｍ-1）’を示すデータを、係数記憶部６１に記憶する（図１０のステップＳ１４）。
【００６１】
次に、撮像装置において、操作部６５からのモード選択の指示がなされ（図１０のステップＳ１０）、動作モードとして、制御部６４によって通常撮影モードに切り替えられたとする。信号処理部６２は、通常撮影モードにおいて、通常の撮影対象となる被写体を撮像したとき（図１０のステップＳ２１）に、複数の撮像素子４Ｒ，４Ｇ，４Ｂから出力（図１０のステップＳ２２）された複数の色信号に対して、係数記憶部６１に記憶された色特性変換係数（Ｍ-1）’を乗ずる演算（近似逆変換）を行う（図１０のステップＳ２３、図１１のステップＳ１０９）。これにより、最終的な信号出力として、所望とする色再現系の分光特性が加味された再現系理想特性に近似した特性を得ることができる（図１０のステップＳ２４、図１１のステップＳ１１０、図１２（Ｆ））。
【００６２】
以上のようなプロセスにより、本実施の形態に係る撮像装置によれば、色調整モードを有し、そのモードで求められた色特性変換係数（Ｍ-1）’を示すデータを記憶し、通常撮影時には、信号処理部６２で、複数の撮像素子４Ｒ，４Ｇ，４Ｂから出力された複数の色信号に対して、その係数記憶部６１に記憶された色特性変換係数（Ｍ-1）’を乗ずる演算を行うようにしたので、分光特性に大きな影響を与える色分解プリズムを含む撮像系全体の設計誤差や製造誤差を補正することができ、カラー撮像系において所望の色再現系の特性が加味された理想的な分光特性に近い特性を得ることができる。
【００６３】
さらに、本実施の形態に係る撮像装置によれば、色分解プリズムの分光特性（膜特性）を示す特性曲線の傾きが、図３（Ａ），（Ｂ）に示したように、変換理想特性（図２（Ｂ）、図１２（Ｃ）参照）を示す特性曲線の傾きに応じた傾きとなるように設計されているので、色分解プリズムを撮像装置に組み込んだときの撮像系全体の総合的な分光特性を変換理想特性に近似させやすくなる。これにより、上記のように求められた色特性変換係数（Ｍ-1）’と組み合わせることで、所望の色再現系の特性が加味された理想的な分光特性を得やすくなる。
【００６４】
なお、例えば、色分解プリズムの膜特性の傾きが、図１９に示したような急峻な立ち上がりを示すものとされ、撮像系全体の総合的な分光透過特性が図１８に示したように、変換理想特性から大幅にずれている場合について考察する。この場合、総合的な分光透過特性の形状が、各色について矩形状のものとなっているので、上記のように求められた色特性変換係数（Ｍ-1）’を用いた演算を行っても、理想的な分光特性が十分に得にくい。色特性変換係数（Ｍ-1）’は、上記した［数３］の式（３）に示すような１次変換による比較的単純な演算を行うものである。このような比較的単純な演算を行っただけでは、矩形状の特性を図１７に示すようななだらかな曲線形状を有する理想特性に十分に近づけることはできない。
［第２の実施の形態］
【００６５】
次に、本発明の第２の実施の形態を説明する。なお、上記第１の実施の形態と実質的に同一の構成部分には同一の符号を付し、適宜説明を省略する。
【００６６】
図１３および図１４は、本実施の形態に係る撮像装置の分光特性を最終的な理想状態にまで導くためのプロセスを、本実施の形態における色特性変換係数（Ｍ-1）’の決定方法と共に示したものである。
【００６７】
図１３および図１４に示したプロセスにおいて、図１１および図１２に示した上記第１の実施の形態におけるプロセスと異なる部分は、色特性変換係数（Ｍ-1）’を求めるステップＳ２０８，Ｓ２０９の部分（図１４（Ｅ）→（Ｆ）の部分）である。上記第１の実施の形態では、係数演算部６３において、色特性変換係数（Ｍ-1）’を、関数ｒ0’（λ），ｇ0’（λ），ｂ0’（λ）で表される実測値ベースの総合的な分光特性と関数ｒ（λ），ｇ（λ），ｂ（λ）で表される再現系理想特性との分光特性のずれを最小とするような演算により求めるようにした。
【００６８】
一方、本実施の形態では、係数演算部６３は、まず、再現系理想特性に対して変換行列Ｍによる可逆な変換を施した正の値の関数ｒ’（λ），ｇ’（λ），ｂ’（λ）で表される変換理想特性と関数ｒ0’（λ），ｇ0’（λ），ｂ0’（λ）で表される実測値ベースの総合的な分光特性とを比較して、そのずれが最小となるような演算（最小２乗法等）により第１の色特性変換係数Ｎを求める（ステップＳ２０８）。そして、係数演算部６３は、関数ｒ0’（λ），ｇ0’（λ），ｂ0’（λ）で表される実測値ベースの総合的な分光特性（図１４（Ｅ））に対して、第１の色特性変換係数Ｎを乗ずる演算を行うことで、正の変換理想特性（図１４（Ｃ））に近似した、正の値の近似変換理想特性を得る（ステップＳ２０９、図１４（Ｆ））。ここで、この正の値の近似変換理想特性は、正の値の関数ｒ’（λ）+，ｇ’（λ）+，ｂ’（λ）+で表されるものとする。次に、この正の値の関数ｒ’（λ）+，ｇ’（λ）+，ｂ’（λ）+で表される正の値の近似変換理想特性に対して、第２の色特性変換係数として変換行列Ｍ-1を乗ずる演算を行うことで、所望とする色再現系の分光特性が加味された再現系理想特性に近似した特性を得ることができる（ステップＳ１０９，Ｓ１１０）。
【００６９】
なお、変換行列Ｍ-1は、図２（Ａ），（Ｂ）を用いて上述したように理論的に一義的に決まる係数であり、正の値の関数ｒ’（λ），ｇ’（λ），ｂ’（λ）で表される変換理想特性（図１４（Ｃ））を求める際に用いた変換行列Ｍの逆行列である。また、本実施の形態では、上記第１の実施の形態における色特性変換係数（Ｍ-1）’が、
（Ｍ-1）’＝Ｎ・Ｍ-1
として、第１の色特性変換係数Ｎと第２の色特性変換係数Ｍ-1との積で与えられることと等価である。このＮ・Ｍ-1で表される色特性変換係数（Ｍ-1）’を示すデータを、上記第１の実施の形態と同様にして、撮像装置における係数記憶部６１に記憶させる。その他の部分については、基本的に上記第１の実施の形態と同様である。
［その他の実施の形態］
【００７０】
本発明は、上記各実施の形態に限定されず、その他の変形実施が可能である。
例えば、上記各実施の形態では、入射光Ｌを青色光ＬＢ、赤色光ＬＲ、および緑色光ＬＧの順に分解する色分解光学系１を例に説明したが、色分解の順番はこれに限らず、他の順番で色分解するものであっても良い。また、上記各実施の形態では、色分解光学系として３つのプリズムを備え、３つの色光に分解する例を示したが、本発明は、４つ以上のプリズムを備え、４つ以上の色光に分解するような色分解光学系にも適用することが可能である。
【００７１】
また、上記各実施の形態では、色分解プリズムを用いたカラー撮像系について説明したが、モザイクフィルタと呼ばれる撮像素子の各々のユニットセルに対応したカラーフィルタを装着した単板のカラーカメラや、面順次方式と呼ばれる回転式のカラーフィルタが装着されたカラーカメラなど、カラーフィルタを装着した全てのカラーカメラにも応用が可能である。この場合、色分解プリズムの分光特性を測定するのと同様にフィルタの分光特性を測定し、その測定結果に基づいて最適な色特性変換係数を求めるようにすればよい。
【図面の簡単な説明】
【００７２】
【図１】本発明の第１の実施の形態に係る撮像装置の一構成例を示す構成図である。
【図２】本発明の第１の実施の形態に係る色分解光学系で適用される理想特性についての説明図図であり、（Ａ）は一次変換前の理想特性を示し、（Ｂ）は一次変換後の理想特性を示す。
【図３】本発明の第１の実施の形態に係る色分解光学系における青色光反射ダイクロイック膜ＤＢの特性（Ａ）、および赤色光反射ダイクロイック膜ＤＲの特性（Ｂ）についての説明図である。
【図４】本発明の第１の実施の形態に係る色分解光学系における青色光反射ダイクロイック膜ＤＢと赤色光反射ダイクロイック膜ＤＲとの設計例を示す特性図である。
【図５】本発明の第１の実施の形態に係る色分解光学系における青色光反射ダイクロイック膜ＤＢの膜設計の数値例を示す図である。
【図６】本発明の第１の実施の形態に係る色分解光学系における赤色光反射ダイクロイック膜ＤＲの膜設計の数値例を示す図である。
【図７】本発明の第１の実施の形態に係る撮像装置におけるプリズム部分の分光特性の一例を示す特性図である。
【図８】本発明の第１の実施の形態に係る撮像装置におけるプリズム部以外の光学要素の分光特性の一例を示す特性図である。
【図９】本発明の第１の実施の形態に係る撮像装置における撮像光学系（係数変換前）の総合的な分光特性の一例を示す特性図である。
【図１０】本発明の第１の実施の形態に係る撮像装置の動作モードを示す流れ図である。
【図１１】本発明の第１の実施の形態に係る撮像装置の分光特性を最終的な理想状態にまで導くためのプロセスを示す流れ図である。
【図１２】本発明の第１の実施の形態に係る撮像装置の分光特性を最終的な理想状態にまで導くためのプロセスを示す説明図である。
【図１３】本発明の第２の実施の形態に係る撮像装置の分光特性を最終的な理想状態にまで導くためのプロセスを示す流れ図である。
【図１４】本発明の第２の実施の形態に係る撮像装置の分光特性を最終的な理想状態にまで導くためのプロセスを示す説明図である。
【図１５】従来の色分解光学系の構成例を示す断面図である。
【図１６】理想特性を求めるための３原色の色度座標を示すｘｙ色度図である。
【図１７】規格化された理想特性を示す特性図である。
【図１８】従来の一般的な色分解光学系の分光特性を示す特性図である。
【図１９】従来の色分解光学系で用いられているダイクロイック膜の特性の一例を示す特性図である。
【符号の説明】
【００７３】
Ｌ…入射光、ＬＢ…青色光成分、ＬＲ…赤色光成分、ＬＧ…緑色光成分、ＤＢ…青色光反射ダイクロイック膜、ＤＲ…赤色光反射ダイクロイック膜、ＤＧ…緑色光反射ダイクロイック膜、１…色分解光学系、２…撮影レンズ、３…ＩＲカットフィルタ、４Ｒ，４Ｇ，４Ｂ…撮像素子、１０…第１のプリズム、２０…第２のプリズム、３０…第３のプリズム、５１…第１のトリミングフィルタ、５２…第２のトリミングフィルタ、５３…第３のトリミングフィルタ、５１ＡＲ…第１の反射防止膜、５２ＡＲ…第２の反射防止膜、５３ＡＲ…第３の反射防止膜、６１…係数記憶部、６２…信号処理部、６３…係数演算部、６４…制御部、６５…操作部、Ｖout…映像信号。
【図１】
2010074213.tif 000006
【図２】
2010074213.tif 000007
【図３】
2010074213.tif 000008
【図４】
2010074213.tif 000009
【図５】
2010074213.tif 000010
【図６】
2010074213.tif 000011
【図７】
2010074213.tif 000012
【図８】
2010074213.tif 000013
【図９】
2010074213.tif 000014
【図１０】
2010074213.tif 000015
【図１１】
2010074213.tif 000016
【図１２】
2010074213.tif 000017
【図１３】
2010074213.tif 000018
【図１４】
2010074213.tif 000019
【図１５】
2010074213.tif 000020
【図１６】
2010074213.tif 000021
【図１７】
2010074213.tif 000022
【図１８】
2010074213.tif 000023
【図１９】
2010074213.tif 000024